(57)【要約】【課題】  本発明の課題は、用紙の後端が案内部から排紙部に抜け出る際に、用紙の後端と搬出通路の搬送面に突き当たって発生する衝撃音が生じ難い自動原稿搬送装置および画像形成装置の提供することである。【解決手段】  本発明の自動原稿搬送装置６０は、読取りの終了した用紙を排出する排紙部Cを備え、排紙部Cは用紙の排紙を案内する案内部（第１排紙切替え爪）１５と、湾曲した搬送面２５を有する用紙の排出通路２７とを有し、案内部１５は用紙の後端を複数段階に渡って排出通路２７の搬送面２５に近づけるようにした。【選択図】      図１
2005067840.tif 000002
【特許請求の範囲】
【請求項１】
読取りの終了した用紙を排出する排紙部を備え、排紙部は用紙の排紙を案内する案内部と、湾曲した搬送面を有する用紙の排出通路を有し、案内部は用紙の後端を複数段階に渡って排出通路の搬送面に近づけていることを特徴とする自動原稿装置。
【請求項２】
案内部は軸線方向に複数の爪を備え、一方の爪は他方の爪よりも排紙部側の先端を長くしていることを特徴とする請求項１記載の自動原稿給紙装置。
【請求項３】
案内部は軸線方向の中間に設けた中間爪と、軸線方向の両端側に夫々設けた端部爪とを備え、端部爪は中間爪よりも排紙部側の先端を長くしていることを特徴とする請求項１又は２記載の自動原稿給紙装置。
【請求項４】
爪は排紙モードとスイッチバックモードに対応して、それぞれ異なる複数の爪部分を有し、一方の爪部分が他方の爪部分よりも長くなっていることを特徴とする請求項３に記載の自動原稿給紙装置。
【請求項５】
案内部は軸線方向に複数の爪とポリエスティルフィルムとを備え、ポリエスティルフィルムは複数の爪よりも排紙部側の先端を長くしていることを特徴とする請求項１記載の自動原稿給紙装置。
【請求項６】
請求項１〜５の何れか一項に記載の自動原稿装置を設けたことを特徴とする画像形成装置。
【発明の詳細な説明】
【技術分野】
【０００１】
本発明は、複写機、ファクシミリ等の画像形成装置における自動原稿給紙装置に関するものである。
【背景技術】
【０００２】
特許文献１には、図８に示すように、自動原稿搬送装置における用紙の排紙部Ｃに、読取りの終了した用紙Ｓを排紙口１１７に案内する案内部１１５を設けた技術が開示されている。
【０００３】
【特許文献１】特開２００２−３４８０５２号公報
【発明の開示】
【発明が解決しようとする課題】
【０００４】
しかし、上述の公報に開示の技術では、案内部１１５の排紙部側の先端１１５ａと排出通路１２７の搬送面１２５と間の距離が長いため、用紙後端Ｓ１が案内部１１５から抜け出る際に、用紙後端Ｓ１が排出通路１２７の搬送面１２５に突き当たって、衝撃音が生じるという問題がある。
【０００５】
そこで、本発明は、用紙の後端が案内部から排紙部に抜け出る際に、用紙の後端と搬出通路の搬送面に突き当たって発生する衝撃音が生じ難い自動原稿搬送装置および画像形成装置の提供を目的とする。
【課題を解決するための手段】
【０００６】
請求項１に記載の発明は、読取りの終了した用紙を排出する排紙部を備え、排紙部は用紙の排紙を案内する案内部と、湾曲した搬送面を有する用紙の排出通路を有し、案内部は用紙の後端を複数段階に渡って排出通路の搬送面に近づけていることを特徴とする。
【０００７】
請求項２に記載の発明は、請求項１記載の発明において、案内部は軸線方向に複数の爪を備え、一方の爪は他方の爪よりも排紙部側の先端を長くしていることを特徴とする。
【０００８】
請求項３に記載の発明は、請求項１又は２記載の発明において、案内部は軸線方向の中間に設けた中間爪と、軸線方向の両端側に夫々設けた端部爪とを備え、端部爪は中間爪よりも排紙部側の先端を長くしていることを特徴とする。
【０００９】
請求項４に記載の発明は、請求項３に記載の発明において、爪は排紙モードとスイッチバックモードに対応して、それぞれ異なる複数の爪部分を有し、一方の爪部分が他方の爪部分よりも長くなっていることを特徴とする。
【００１０】
請求項５に記載の発明は、請求項１記載の発明において、案内部は軸線方向に複数の爪とポリエスティルフィルムとを備え、ポリエスティルフィルムは複数の爪よりも排紙部側の先端を長くしていることを特徴とする。
【００１１】
請求項６に記載の発明は、請求項１〜５の何れか一項に記載の自動原稿装置を備えた画像形成装置であることを特徴とする。
【発明の効果】
【００１２】
請求項１に記載の発明によれば、排紙部は用紙の後端を複数段階に渡って排出通路の搬送面に近づける案内部を備えたので、用紙の後端が案内部から抜け出すときに、用紙の後端が強く排出通路の搬送面に突き当たりにくく、用紙の後端と排出通路の搬送面とが強く突き当たって発生する衝撃音を防止できる。
【００１３】
請求項２に記載の発明によれば、請求項１に記載の発明と同様の効果を奏するとともに、案内部の軸線方向に設けた複数の爪の内、一方の爪の排紙部側の先端を他方の爪の排紙部側の先端よりも長くしたので、爪の排紙部側の先端と排出通路の搬送面との距離を短くすることができる。よって、用紙の後端は他方の爪の排紙部側先端を抜け出た後に一方の爪の排紙部側先端に突き当たった後に搬送面に突き当たるので、用紙の後端と排出通路の搬送面との間で発生する衝撃音を抑えるがことができる。
【００１４】
請求項３に記載の発明によれば、請求項１又は２に記載の発明と同様の効果を奏するとともに、案内部の爪の中で、軸線方向の中間に設けた中間爪よりも、両端側にそれぞれ設けた端部爪の排紙部側の先端を長くしたので、用紙の両端や角部がカールして搬送された場合でも、用紙の形状に合わせた対応をとることができ、衝撃音の発生を抑えるとともにジャムの発生も抑えることができる。
【００１５】
請求項４に記載の発明によれば、請求項３に記載の発明と同様の効果を奏するとともに、爪は一方の爪部分が他方の爪部分よりも長くなっているので、爪の向きを変えるだけで、爪の排紙部側の先端長さを変えることができる。よって、同じ爪を用いて排紙モードやスイッチバックモードの各モードに対応できるので、別部材を用いる必要がなく構成が簡単である。
【００１６】
請求項５に記載の発明によれば、請求項１に記載の発明と同様の効果を奏するとともに、案内部にポリエスティルフィルムを備え、ポリエスティルフィルムの排紙部側の先端を爪の排紙部側の先端よりも長く設けたので、用紙が案内部から抜け出る際に、用紙の後端が一旦、ポリエスティルフィルムに突き当たった後に、排出通路の搬送面に突き当たるので、ポリエスティルフィルムの弾性変形により、用紙の後端が除々に搬送面に突き当たるので、用紙の後端と排出通路の搬送面との間で発生する衝撃音を抑えることができる。
【００１７】
また、案内部にポリエスティルフィルムを取り付けるだけなので、構成が簡単且つ後付けも容易である。
【００１８】
請求項６に記載の発明によれば、請求項１〜５の何れか一項に記載の自動原稿搬送装置を用いることで、用紙の後端と排出通路の搬送面との間で発生する衝撃音を抑えることができる画像形成装置を得ることができる。
【発明を実施するための最良の形態】
【００１９】
以下に、添付図面を参照して本発明の実施の形態を説明する。図１は図６に示す自動原稿搬送装置に用いられる第１排紙切替え爪の側面図、図２は図６において、原稿の後端が第１排紙切替え爪を抜け出す状態を示す断面図、図３は図６において原稿のスイッチバック挿入時における切替え爪と原稿の状態を示す断面図、図４は図６において原稿のスイッチバック排紙時における切替え爪と原稿の状態を示す断面図、図５は図６において原稿の排紙時における切替え爪と原稿の状態を示す断面図、図６は本実施の形態にかかる自動原稿搬送装置を示す断面図である。
【００２０】
図６に示すように、本実施の形態の自動原稿搬送装置（ＡＤＦ）６０は、画像形成装置本体２００の上部に備えており、概して給紙部Ａと、搬送部Ｂと、排紙部Ｃと、で構成されている。また、上述の給紙部Ａと、搬送部Ｂと、排紙部Ｃと、後述する各センサとは、図示しない制御部によって制御されている。
【００２１】
給紙部Ａは、原稿（用紙）Ｓを上向きにセットする原稿テーブル１と、原稿テーブル１に載置された原稿束を最上面から取り出すピックアップローラ４と、ピックアップローラ４によって取り出された原稿Ｓを1枚ずつ分離する給紙ベルト２１及びリバースローラ６と、原稿Ｓを搬送部Ｂに搬送するプルアウトローラ対７ａ、７ｂから構成されている。また、給紙部Ａは、原稿の位置を検知するための各センサ（原稿セットセンサＳＮ1、プルアウトセンサＳＮ２、レジストセンサＳＮ３）を備えている。
【００２２】
搬送部Ｂは、給紙部Ａから搬送された原稿Ｓを排紙部Ｃに向けて搬送する搬送ベルト８を備え、図示しない搬送モータの正転によりコンタクトガラス９上の所定位置（読取位置）まで原稿Ｓを搬送している。また、コンタクトガラス９上の原稿Ｓは、読取り動作が終了した後、再び搬送ベルト８により排紙部Ｃへ排紙されるようになっている。
【００２３】
排紙部Ｃは、第１排紙ローラ１０、１１、反転排紙ローラ１２、第２排紙ローラ対１４
第１排紙切替え爪（案内部）１５および第２排紙切替え爪１６、スイッチバックローラ対２２、各種センサ（反転センサＳＮ４、排紙センサＳＮ５）を備えている。
【００２４】
第１排紙ローラ（第１排紙駆動ローラ１０、第１排紙従動ローラ１１）は、原稿Ｓを読取り位置から片面及び両面読取りに共通の搬送路５１へ排紙し、反転させて再び読取位置へ搬送している。
【００２５】
スイッチバックローラ対２２（スイッチバック駆動ローラ２２ａ、スイッチバック従動ローラ２２ｂ）は、第１排紙ローラ１０などにより読取り位置から共通搬送路５１を通って反転された原稿Ｓを原稿排紙トレイ３下方のスイッチバック搬送路５２へ搬送している。
【００２６】
第２排紙ローラ対１４（第２排紙駆動ローラ１４ａ、第２排紙従動ローラ１４ｂ）は、第１排紙ローラ１０、１１により読取り位置から共通搬送路５１を通って排紙口２９へ搬送されてきた原稿を原稿排紙トレイ３へ搬送するものである。
【００２７】
第１排紙切替え爪（案内部）１５および第２排紙切替え爪１６は、共通搬送路５１、スイッチバック搬送路５２、および反転された読取り後の原稿を再び読取り位置へ搬送するための反転搬送路５３のいずれかに搬送方向を切替えるものである。
【００２８】
排紙ガイド８８は、原稿排紙トレイ３と一体形成されており、搬送ガイド８８の対向部分に形成された原稿カバー２３の搬送面２５との間で排出通路２７を形成している。排出通路２７は、スイッチバック駆動ローラ２２ａの逆転搬送により前記スイッチバック搬送路５２から排紙されてきた原稿Ｓを反転させ、排紙口２９へ案内している。
【００２９】
第１排紙切替え爪１５は、原稿Ｓの搬送方向と直交する方向に軸１８を有し、軸１８の軸線方向に断面略三角形状の複数の爪１７を備え、軸線方向の中間の２箇所に設けた中間爪（一方の爪）１９ａと、軸線方向の両端側に夫々設けた端部爪（一方の爪）１９ｂは、他方の爪よりも排紙部側の先端を長くしている。さらに、端部爪１９ｂは中間爪１９ａよりも、排紙部側の先端を長く形成している。
【００３０】
尚、本実施の形態では、中間爪１９ａと端部爪１９ｂとは、その他の爪と排紙部側の先端長さの異なる爪を使用したが、同じ爪を用いても排紙部側の先端長さを異なるものにできる。この場合、長い爪部分を排紙部側の向きにして固定すれば中間爪１９ａや端部爪１９ｂとして用いることができ、長い爪部分を排紙部側以外の部分の向きにして固定すれば、排紙部側の先端長さの短い他方の爪として使用できる。
【００３１】
次に、本実施の形態にかかる自動原稿搬送装置（ＡＤＦ）６０の作用について説明する。図６に示す原稿テーブル１上に積載された原稿は、ピックアップローラ４によって取り出され、リバースローラ６によって原稿Ｓが1枚ずつ分離される。次いで、原稿Ｓはプルアウトローラ対７ａ、７ｂを通過してコンタクトガラス９上の読取位置に搬送される。読取の終了した原稿Ｓは、排紙部方向へ搬送される。
【００３２】
片面の複写モード時は、図３に示すように、第１排紙切替え爪１５は上方向（矢印の回転方向）に待避した位置（ホームポジション）にあり、搬送モータ（図示せず）の正転と同時に反転排紙モータ（図示せず）が正転し、第１排紙切替え爪１５、第２排紙切替え爪１６により原稿Ｓは案内され、第１駆動ローラ１０により反転排紙部へ搬送されてきた原稿Ｓは、スイッチバックローラ対２２により、スイッチバック搬送路５２へ搬送される。
【００３３】
スイッチバック搬送路５２へ搬送された原稿後端Ｓ１を反転センサＳＮ４により検知すると、原稿後端Ｓ１が第１排紙切替え爪１５を通過した位置で、反転排紙モータ（図示せず）が停止し、搬送を停止する。ここで、第２排紙切替え爪１６は下方向（図３の矢印の回転方向）に待避した位置（ホームポジション）から図４の上方向（矢印の回転方向）に待避した位置にソレノイド（図示せず）により向きを変え、反転排紙モータ（図示せず）が逆転し、スイッチバック駆動ローラ２２ａは図３の矢印の回転方向から図４の矢印の回転方向に切り換わり、原稿Ｓは図３とは逆方向に搬送され、図５のように排紙センサＳＮ５を通過し、排紙ローラ対１４ａ、１４ｂにより、原稿排紙トレイ３上に１枚目の原稿Ｓの表面が下になるように排紙される。
【００３４】
排紙部Ｃにおいて、第１排紙切替え爪１５に設けた複数の爪の内、軸線方向の中間の２箇所に設けた中間爪（一方の爪）１９ａと、軸線方向の両端側に夫々設けた端部爪（一方の爪）１９ｂにおいて、排紙部側の先端を他の爪（他方の爪）よりも長くしたので、原稿後端Ｓ１は、一旦、中間爪１９ａと端部爪１９ｂとの排紙部側先端に突き当たった後、排出通路２７の搬送面２５に突き当たるので、原稿後端Ｓ１と排出通路２７の搬送面２５との間で発生する衝撃音を抑えるがことができる。
【００３５】
また、中間爪１９ａよりも、両端側にそれぞれ設けた端部爪１９ｂの排紙部側の先端を長くしたので、原稿Ｓの両端や角部がカールして搬送された場合でも、原稿Ｓの形状に合わせた対応をとることができ、衝撃音の発生を抑えるとともにジャムの発生も抑えることができる。
【００３６】
本発明は、上述した実施の形態に限らず、本発明の要旨を逸脱しない範囲で種々変形可能である。
【００３７】
例えば、上述の実施の形態では、第１排紙切替え爪１５において、排紙部側の先端の長さが異なる爪を用いることで、原稿後端Ｓ１と排出通路２７の搬送面２５との間で発生する衝撃音を抑えるようにしたが、図７に示すように、第１排紙切替え爪１５に、排紙部側の先端を爪の排紙部側の先端よりも長くなるようにポリエスティルフィルム３１ａ，３１ｂを取り付けても良い。この場合、ポリエスティルフィルム３１ａ，３１ｂの弾性変形により、用紙の後端Ｓ１が除々に搬送面２５に突き当たるので、用紙後端Ｓ１と排出通路２７の搬送面２５との間で発生する衝撃音を抑えることができる。また、汎用の第１排紙切替え爪１５にポリエスティルフィルム３１ａ，３１ｂを取り付けるだけなので、構成が簡単且つ後付けも容易である。
【００３８】
中間爪１９ａと、端部爪１９ｂとは、第１排紙切替え爪１５に夫々２箇所ずつ設けたが、その数は限定されない。
【００３９】
第１排紙切替え爪１５に取り付ける部材はポリエスティルフィルムに限らず、他の樹脂部材を用いても良い。
【図面の簡単な説明】
【００４０】
【図１】図６に示す自動原稿搬送装置に用いられる第１排紙切替え爪の側面図である。
【図２】図６において、原稿の後端が第１排紙切替え爪を抜け出す状態を示す断面図である。
【図３】図６において原稿のスイッチバック挿入時における切替え爪と原稿の状態を示す断面図である。
【図４】図６において原稿のスイッチバック排紙時における切替え爪と原稿の状態を示す断面図である。
【図５】図６において原稿の排紙時における切替え爪と原稿の状態を示す断面図である。
【図６】本実施の形態にかかる自動原稿搬送装置を示す断面図である。
【図７】第１排紙切替え爪の変形例を示す側面図である。
【図８】従来例にかかる自動原稿搬送装置の排紙部を示す断面図である。
【符号の説明】
【００４１】
１５    第１排紙切替え爪（案内部）
１７    爪
１９ａ  中間爪
１９ｂ  端部爪
２５    搬送面
２７    排出通路
３１ａ，３１ｂ    ポリエスティルフィルム
６０    自動原稿搬送装置（ＡＤＦ）
２００  画像形成装置
Ｓ      原稿（用紙）
Ｓ１    用紙後端
Ｃ      排紙部
【図１】
2005067840.tif 000003
【図２】
2005067840.tif 000004
【図３】
2005067840.tif 000005
【図４】
2005067840.tif 000006
【図５】
2005067840.tif 000007
【図６】
2005067840.tif 000008
【図７】
2005067840.tif 000009
【図８】
2005067840.tif 000010